【事件の表示】
　特許第３１３４００８号「スクロール式圧縮機」の請求項１に係る特許に対する特許異議の申立てについて、次のとおり決定する。
【結　論】
　訂正を認める。
　特許第３１３４００８号の請求項１に係る特許を取り消す。
【理　由】
１．手続の経緯
　特許第３１３４００８号の請求項１、２に係る発明は、平成３年１１月２９日に特許出願されたものであって、平成１２年１１月２４日にその特許権の設定登録がなされ、その後古川康彦から、その請求項１に係る発明の特許に対し特許異議の申立てがなされ、取消しの理由が通知され、その指定期間内である平成１４年３月５日に訂正請求がなされたものである。
　
２．訂正の適否についての判断
（１）訂正の内容
訂正事項ａ
　特許請求の範囲の請求項１の記載について、「支持フレームと固定スクロール翼の軸心線に対して非対称の位置に一対の位置決めピンを備えた」とあるのを、「固定スクロール翼に貫通して設けられた位置決め用孔に嵌挿される一対の位置決めピンを、支持フレームの、支持フレームと固定スクロール翼の軸心線に対して非対称の位置に突設した」と訂正する。
訂正事項ｂ
　明細書の段落【００１９】の記載について、「支持フレームと固定スクロール翼の軸心線に対して非対称の位置に備えた一対の位置決めピンにより」とあるのを、「支持フレームの、支持フレームと固定スクロール翼の軸心線に対して非対称の位置に突設した一対の位置決めピンを、固定スクロール翼に貫通して設けた位置決め用孔に嵌挿して」と訂正する。
訂正事項ｃ
　明細書の段落【００３５】の記載について、２個所に、「設けられ」とあるのを、ともに「鏡板部３７の上下面を貫通して設けられ」と訂正する。
訂正事項ｄ
　明細書の段落【００４６】の記載について、「なお、各実施例において、位置決めピン４２ａ，４２ｂ，１４２ａ，１４２ｂを支持フレーム２１側に設け、位置決め用孔４４を固定スクロール翼２７側に設けたが、逆に、位置決めピンを固定スクロール翼２７側に設け、位置決め用孔を支持フレーム２１に設けるようにしてもよい。」とあるのを、「なお、上記の実施例において、位置決めピン１４２ａ，１４２ｂを支持フレーム２１側に設け、位置決め用孔を固定スクロール翼２７側に設けたが、逆に、位置決めピンを固定スクロール翼２７側に設け、位置決め用孔を支持フレーム２１に設けるようにしてもよい。」と訂正する。
訂正事項ｅ
　明細書の段落【００４９】の記載について、「支持フレームと固定スクロール翼の軸心線に対して非対称の位置に備え」とあるのを、「支持フレームの、支持フレームと固定スクロール翼の軸心線に対して非対称の位置に突設して、固定スクロール翼に貫通して設けた位置決め用孔に嵌挿し」と訂正する。　
　
（２）訂正の目的の適否、新規事項の有無及び拡張・変更の存否
　上記訂正事項ａは、位置決めピンと支持フレーム、固定スクロール翼との関係を、位置決めピンを支持フレームに突設するとともに、固定スクロール翼に貫通して設けた位置決め用孔に嵌挿するように限定するものであって、特許請求の範囲の減縮を目的とする明細書の訂正に該当する。そして、上記の位置決めピンと支持フレーム、固定スクロール翼との関係については、願書に添付された明細書の段落【０００９】〜段落【００１０】の「支持フレーム１のねじ孔１５近傍位置に一対の位置決めピン１７，１７が突設され、これと対向する固定スクロール翼１２のボルト孔１４近傍位置に一対の位置決め用孔１８，１８が設けられる。そして、支持フレーム１の位置決めピン１７，１７に固定スクロール翼１２の位置決め用孔１８，１８を嵌挿し、固定スクロール翼１２を位置決めしてから、固定ボルトの螺挿作業を行うこととなる。」との記載、及び図１に示されているから、新規事項の追加に該当しない。
　上記訂正事項ｂ〜ｅは、上記訂正事項ａに伴って、発明の詳細な説明の欄の対応箇所を訂正するものであるから、明りょうでない記載の釈明を目的とした明細書の訂正に該当するものであり、新規事項の追加に該当しない。
　また、上記訂正事項ａ〜ｅは、いずれも、実質上特許請求の範囲を拡張又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、及び第２項の規定に適合するので、当該訂正を認める。
　
３．特許異議の申立てについての判断
（１）本件の請求項１に係る発明
　上記２．で示したように上記訂正が認められるから、本件の請求項１に係る発明（以下、「本件発明１」という。）は、上記訂正請求に係る訂正明細書の特許請求の範囲の請求項１に記載された次のとおりのものである。
　
「【請求項１】支持フレームに、旋回スクロール翼を組み込むとともに固定スクロール翼を取付固定し、固定スクロール翼の渦巻状の翼部と、旋回スクロール翼の渦巻状の翼部とを噛合させ、これら翼部と各スクロール翼の鏡板部とで圧縮空間を形成し、旋回スクロール翼を旋回運動させて、圧縮空間に被圧縮ガスを吸込み、圧縮して吐出するスクロール式圧縮機において、支持フレームに対する固定スクロール翼の位置決め用として、固定スクロール翼に貫通して設けられた位置決め用孔に嵌挿される一対の位置決めピンを、支持フレームの、支持フレームと固定スクロール翼の軸心線に対して非対称の位置に突設したことを特徴とするスクロール式圧縮機。」
　
（２）引用刊行物に記載された発明
　当審で通知した取消しの理由で引用した刊行物である、引用例１、２には、それぞれ以下のような事項が記載されているものと認められる。
　
ア．引用例１：特開平２ー４９９８６号公報
ａ．「圧縮機機構４６は一般的に固定スクロール部材４８と旋回スクロール部材５０と主軸受フレーム部材５２とから成る。第１図に示す通り、固定スクロール部材４８とフレーム部材５２とは一体に固定され、」（第５頁左下欄第１４〜１８行）
ｂ．「固定スクロール部材４８とフレーム部材５２との間の正確な整合は１対の位置決めピン５６により行われる。」（第５頁左下欄第２０行〜同頁右下欄第２行）
ｃ．「固定スクロール部材４８は、背面６１と、表面６３と、該表面６３から軸方向に延びるインボリュート固定ラップ６４とを有する全体的に平坦面のプレート６２から成る。同様に、旋回スクロール部材５０は、上部表面６７と、該表面６７から軸方向に延びるインボリュート旋回ラップ６８とから成る。固定スクロール部材４８と旋回スクロール部材５０は、固定ラップ６４と旋回ラップ６８が互いに作動可能に嵌合するように一体に組立てられる。」（第５頁右下欄第７〜１６行）
ｄ．「吸込圧力室９８は全体に固定スクロール部材４８とフレーム部材５２とにより形成される。（中略）旋回スクロール部材５０が旋回させられると、吸込圧力室９８内にある冷媒流体は、固定ラップ６４および旋回ラップ６８により形成された密閉ポケットを移動することにより半径方向内方に圧縮される。」（第６頁左下欄第１２行〜同頁右下欄第２行）
　上記記載事項ａ〜ｄ、及び第１〜３図の記載によれば、引用例１には、「主軸受フレーム部材５２に、旋回スクロール部材５０を組み込むとともに固定スクロール部材４８を取付固定し、固定スクロール部材４８のインボリュート固定ラップ６４と、旋回スクロール部材５０のインボリュート旋回ラップ６８とを噛合させ、これらラップと各スクロール部材のプレートとで密閉ポケットを形成し、旋回スクロール部材５０を旋回運動させて、密閉ポケットに冷媒流体を吸込み、圧縮して吐出するスクロール式圧縮機において、主軸受フレーム部材５２に対する固定スクロール部材４８の位置決め用として、一対の位置決めピン５６を備えたスクロール式圧縮機。」の発明（以下、「引用例１記載の発明」という。）が記載されているものと認められる。
　
イ．引用例２：特開平２ー１２３２９４号公報
ｅ．「下部のシリンダ３０は、（中略）第２の貫通孔３８、３９が穿設されている。」（第３頁左下欄第６〜８行）
ｆ．「下部のシリンダ３０の上側に重合された仕切り板３１には上記第２の貫通孔３８，３９に対応する位置に上記第２の貫通孔３８、３９と略同一の直径の第３の貫通孔４１、４２が穿設されている。さらに、この仕切り板３１の上面に重合された上部のシリンダ２９には、上記第３の貫通孔４１、４２に対応する位置に第４の貫通孔４３、４４が穿設されている。」（第３頁左下欄第１７行目〜同頁右下欄第５行）
ｇ．「スプリングピン４５、４５は上記仕切り板３１の板厚よりも長い寸法で形成されており、両端部が上記仕切り板３１から突出された状態に挿着される。この状態の仕切り板３１を上記下部のシリンダ３０に重合して、スプリングピン４５の突出された端部が第２の貫通孔３８、３９に挿入されることで位置合せができる。また、仕切り板３１の上面に上部のシリンダ２９を重合させる際にも、上部に突出されたスプリングピン４５、４５を第４の貫通孔４３、４４に挿入することにより位置合せをすることができる。」（第４頁左上欄第１〜１２行）
　上記記載事項ｅ〜ｇ、及び第１〜５図の記載によれば、引用例２には、「仕切り板３１から突設された一対のスプリングピンを、上部のシリンダ２９、下部のシリンダ３０に設けられた貫通孔に嵌挿して、仕切り板３１と上部のシリンダ２９、下部のシリンダ３０との位置合せをする」技術（以下、「引用例２記載の技術１」という）が記載されているものと認められる。また、「一対のスプリングピンを、仕切り板３１の、仕切り板３１と上部のシリンダ２９、下部のシリンダ３０の軸心線に対して非対称の位置に配置する」技術、換言すれば「複数の部材を位置合わせする際に、一対のピンを、前記複数の部材の軸心線に対して非対称の位置に配置する」技術（以下、「引用例２記載の技術２」という）が、記載されているものと認められる。
　
（３）対比
　本件発明１と引用例１記載の発明とを対比すると、後者の「主軸受フレーム部材５２」は前者の「支持フレーム」に相当し、後者の「旋回スクロール部材５０」は前者の「旋回スクロール翼」に相当し、後者の「固定スクロール部材４８」は前者の「固定スクロール翼」に相当し、後者の「固定スクロール部材４８のインボリュート固定ラップ６４」は前者の「固定スクロール翼の渦巻状の翼部」に相当し、後者の「旋回スクロール部材５０のインボリュート旋回ラップ６８」は前者の「旋回スクロール翼の渦巻状の翼部」に相当し、後者の「スクロール部材のプレート」は前者の「スクロール翼の鏡板部」に相当し、後者の「密閉ポケット」は前者の「圧縮空間」に相当し、後者の「冷煤流体」は前者の「被圧縮ガス」に相当し、後者の「位置決めピン５６」は前者の「位置決めピン」に相当する。
　してみると、両者は「支持フレームに、旋回スクロール翼を組み込むとともに固定スクロール翼を取付固定し、固定スクロール翼の渦巻状の翼部と、旋回スクロール翼の渦巻状の翼部とを噛合させ、これら渦巻状の翼部と各スクロール翼の鏡板部とで圧縮空間を形成し、旋回スクロール翼を旋回運動させて、圧縮空間に被圧縮ガスを吸込み、圧縮して吐出するスクロール式圧縮機において、支持フレームに対する固定スクロール翼の位置決め用として、一対の位置決めピンを備えたスクロール式圧縮機。」で一致し、以下の点で相違する。
　
ａ．相違点１
　本件発明１では、一対の位置決めピンが、固定スクロール翼に貫通して設けられた位置決め用孔に嵌挿されているのに対し、引用例１記載の発明では、一対の位置決めピンと位置決め孔との関連構成は明らかでない点。
ｂ．相違点２
　本件発明１では、一対の位置決めピンが、支持フレームの、支持フレームと固定スクロール翼の軸心線に対して非対称の位置に備えられているのに対し、引用例１記載の発明では、一対の位置決めピンの位置関係は明らかでない点。
　
（４）判断
　上記相違点について検討する。
ａ．相違点１について
　引用例２記載の技術１から見て、引用例２には「複数の部材を位置合わせする際に、ある部材から突設された一対のピンを、他の部材に設けられた貫通孔に嵌挿して、前記ある部材と前記他の部材との位置合せをする」との技術思想が示されているというべきである。そして本件発明１と、この引用例２記載の技術思想とは、ともに容積型圧縮機に関するものである点で技術分野が共通するとともに、位置合せ用のピンを嵌挿する孔を貫通孔とすることは、特定の技術分野に限られることなく組立技術として慣用手段（例えば、実願平１ー７６２１５号（実開平３ー１７６３７号）のマイクロフィルム、実願昭５６ー９９７９３号（実開昭５８ー８５７１号）のマイクロフィルム、実願昭６１ー１１１６２６号（実開昭６３ー１７８８７号）のマイクロフィルム参照。）である。
　してみると、この引用例２記載の技術思想を引用例１記載の発明に適用することによって、上記相違点１に係る本件発明１のように構成することは、当業者が容易に想到しうることである。
　
ｂ．相違点２について
　引用例２記載の技術２から見て、引用例２には「複数の部材を位置合わせする際に、一対のピンを、前記複数の部材の軸心線に対して非対称の位置に配置する」との技術思想が示されているというべきである。そして本件発明１と、この引用例２記載の技術思想とは、ともに容積型圧縮機に関するものである点で技術分野が共通するとともに、位置決めピンを非対称の位置に備えることは、特定の技術分野に限られることなく誤組立防止技術として慣用手段（例えば、実願平１ー７６２１５号（実開平３ー１７６３７号）のマイクロフィルム、実願昭６０ー１０７９２６号（実開昭６２ー１７００３号）のマイクロフィルム、実願昭５９ー７５８０２号（実開昭６０ー１８９７８６号）のマイクロフィルム参照）である。
　してみると、この引用例２記載の技術思想を引用例１記載の発明に適用することによって、上記相違点２に係る本件発明１のように構成することは、当業者が容易に想到しうることである。　
　してみると、本件発明１は、引用例１、２記載の発明、及び上記慣用手段に基づいて当業者が容易に発明をすることができたものである。また、本件発明１は、上記構成を採ることによって格別の効果を奏しているものとも認められない。
　
（４）むすび
　以上のとおりであるから、本件発明１は特許法第２９条第２項の規定により特許を受けることができない。
　したがって、本件発明１についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月１５日（２００２．５．１５）
【訂正の要旨】
　（訂正の要旨）
（１）訂正事項ａ
　特許請求の範囲の請求項１の「支持フレームと固定スクロール翼の軸心線に対して非対称の位置に一対の位置決めピンを備えた」を、特許請求の範囲の減縮を目的として、「固定スクロール翼に貫通して設けられた位置決め用孔に嵌挿される一対の位置決めピンを、支持フレームの、支持フレームと固定スクロール翼の軸心線に対して非対称の位置に突設した」に訂正する。
（２）訂正事項ｂ
　上記訂正事項ａに伴って、発明の詳細な説明の記載を特許請求の範囲の記載に整合させるために、明瞭でない記載の釈明を目的として、願書に添付した明細書の「支持フレームと固定スクロール翼の軸心線に対して非対称の位置に備えた一対の位置決めピンにより」（同公報段落【００１９】参照）を、「支持フレームの、支持フレームと固定スクロール翼の軸心線に対して非対称の位置に突設した一対の位置決めピンを、固定スクロール翼に貫通して設けた位置決め用孔に嵌挿して」に訂正する。
（３）訂正事項ｃ
　上記訂正事項ａに伴って、発明の詳細な説明の記載を特許請求の範囲の記載に整合させるために、明瞭でない記載の釈明を目的として、願書に添付した明細書の２個所の「設けられ」（同公報段落【００３５】参照）を、いずれも「鏡板部３７の上下面を貫通して設けられ」に訂正する。
（４）訂正事項ｄ
　上記訂正事項ａに伴って、発明の詳細な説明の記載を特許請求の範囲の記載に整合させるために、明瞭でない記載の釈明を目的として、願書に添付した明細書の「なお、各実施例において、位置決めピン４２ａ，４２ｂ，１４２ａ，１４２ｂを支持フレーム２１側に設け、位置決め用孔４４を固定スクロール翼２７側に設けたが、逆に、位置決めピンを固定スクロール翼２７側に設け、位置決め用孔を支持フレーム２１に設けるようにしてもよい。」（同公報段落【００４６】参照）を、「なお、上記の実施例において、位置決めピン１４２ａ，１４２ｂを支持フレーム２１側に設け、位置決め用孔を固定スクロール翼２７側に設けたが、逆に、位置決めピンを固定スクロール翼２７側に設け、位置決め用孔を支持フレーム２１に設けるようにしてもよい。」に訂正する。
（５）訂正事項ｅ
　上記訂正事項ａに伴って、発明の詳細な説明の記載を特許請求の範囲の記載に整合させるために、明瞭でない記載の釈明を目的として、願書に添付した明細書の「支持フレームと固定スクロール翼の軸心線に対して非対称の位置に備え」（同公報段落【００４９】参照）を、「支持フレームの、支持フレームと固定スクロール翼の軸心線に対して非対称の位置に突設して、固定スクロール翼に貫通して設けた位置決め用孔に嵌挿し」に訂正する。
（５４）【発明の名称】
スクロール式圧縮機
（５７）【特許請求の範囲】
　【請求項１】
　支持フレームに、旋回スクロール翼を組み込むとともに固定スクロール翼を取付固定し、固定スクロール翼の渦巻状の翼部と、旋回スクロール翼の渦巻状の翼部とを噛合させ、これら翼部と各スクロール翼の鏡板部とで圧縮空間を形成し、旋回スクロール翼を旋回運動させて、圧縮空間に被圧縮ガスを吸込み、圧縮して吐出するスクロール式圧縮機において、支持フレームに対する固定スクロール翼の位置決め用として、
固定スクロール翼に貫通して設けられた位置決め用孔に嵌挿される一対の位置決めピンを、支持フレームの
突設した
　【請求項２】
　支持フレームに、旋回スクロール翼を組み込むとともに固定スクロール翼を取付固定し、固定スクロール翼の渦巻状の翼部と、旋回スクロール翼の渦巻状の翼部とを噛合させ、これら翼部と各スクロール翼の鏡板部とで圧縮空間を形成し、旋回スクロール翼を旋回運動させて、上記圧縮空間に被圧縮ガスを吸込み、圧縮して吐出するスクロール式圧縮機において、支持フレームに対する固定スクロール翼の位置決め用として、互いに直径を異ならせた一対の位置決めピンを備えたことを特徴とするスクロール式圧縮機。
【発明の詳細な説明】
　【０００１】
　【産業上の利用分野】
　本発明は、たとえば空気調和機の冷凍サイクルを構成する圧縮機として用いられるスクロール式圧縮機に関する。
　【０００２】
　【従来の技術】
　たとえば、空気調和機の冷凍サイクルを構成する圧縮機においては、通常のロータリ式圧縮機と比較して、運動騒音が極めて低く、かつ吸込弁や吐出弁など不要で部品点数が少なくてすみ、しかも圧縮性能のよいスクロール式圧縮機が多用される傾向にある。
　この種のスクロール式圧縮機は、図４に示すような構成部品からなる圧縮機構部を備えている。
　【０００３】
　すなわち、１は支持フレームであって、この上面部にはキー溝２が設けられる凹陥部３が形成される。中心部には、枢支孔４を備えたボス部５が設けられる。周面には吸込孔６が開口し、凹陥部３内に連通する。
　【０００４】
　支持フレーム１の凹陥部３内には、オルダムリング７を介して旋回スクロール翼８が収容される。上記オルダムリング７の下面側のキー部７ａは、上記凹陥部３に設けられるキー溝２に掛合する。また、オルダムリング７上面側に設けられるキー部７ｂは、旋回スクロール翼８下面側に設けられる図示しないキー溝に掛合する。
　【０００５】
　上記旋回スクロール翼８は、鏡板部９の上面側に渦巻状の翼部１０が一体に突設され、下面側に上記支持フレーム１の枢支孔４内に挿入されるボス部１１が一体に突設されてなる。
　【０００６】
　これらオルダムリング７および旋回スクロール翼８を覆うように、支持フレーム１の上面に固定スクロール翼１２が載設される。この固定スクロール翼１２は、鏡板部１３の下面側に、旋回スクロール翼８の翼部１０と噛合する図示しない翼部が一体に設けられてなる。
　【０００７】
　上記固定スクロール翼１２の鏡板部１３周端側には複数の取付用孔１４…が、かつ支持フレーム１の凹陥部３外周には複数のねじ孔１５…が、それぞれ所定間隔を存して設けられ、固定スクロール翼１２を支持フレーム１上に載置した状態で互いに連通する。
　【０００８】
　そして、対向する取付用孔１４とねじ孔１５に、図示しない固定ボルトを螺挿することにより、固定スクロール翼１２は支持フレーム１に取付け固定され、圧縮機構部１６の組立がなされる。
　【０００９】
　なお、このような組み込み時において、固定スクロール翼１２と旋回スクロール翼８の位置を正確に出すための位置決め手段として、支持フレーム１のねじ孔１５近傍位置に一対の位置決めピン１７，１７が突設され、これと対向する固定スクロール翼１２のボルト孔１４近傍位置に一対の位置決め用孔１８，１８が設けられる。
　【００１０】
　そして、支持フレーム１の位置決めピン１７，１７に固定スクロール翼１２の位置決め用孔１８，１８を嵌挿し、固定スクロール翼１２を位置決めしてから、固定ボルトの螺挿作業を行うこととなる。
　【００１１】
　【発明が解決しようとする課題】
　ところで、スクロール式圧縮機においては、上述した圧縮機構部１６の組立作業性に問題がある。
　【００１２】
　すなわち、位置決めピン１７，１７および位置決め用孔１８，１８は、支持フレーム１の軸心に対称な位置、すなわち、互いに１８０°の間隔を存して設けられる。
　したがって、固定スクロール翼１２を支持フレーム１に対して１８０°反対側に取付けてしまう、誤作業が発生する恐れがある。
　【００１３】
　旋回スクロール翼８の翼部１０の位置によっては、翼部１０先端に固定スクロール翼１２の翼部先端が当接して、組み込みが不可能になる。もしくは、翼部１０相互の噛合が可能となる場合もあり、一応は組み込みができてしまう。
　【００１４】
　前の場合は、当然、作業者が気がついて組み込み作業を中断し、固定スクロール翼１２を位置決めピン１７から引き抜き、改めて固定スクロール翼１２を１８０°回動して位置を変え、組み直す。したがって、余分な労力を費やすこととなる。
　【００１５】
　後の場合は、作業者が気がつかずにそのまま作業を継続してしまい、それ以降の工程で異常が判明することが多い。最後まで気がつかない場合は、試験運転の際に発見される。すなわち、各スクロール翼８，１２の噛合位置に対する上記吸込孔６の位置が正反対であるところから、設定圧縮条件が得られない。
　【００１６】
　このような誤作業防止対策として、たとえば、固定ボルトが螺挿する取付用孔１４およびねじ孔１５のピッチを、部分的に不等間隔とすることにより、位置決めピン１７に対する位置が１８０°ずれる誤りが無くなる。
　【００１７】
　ただし、この場合は、必要な取付用孔１４…およびねじ孔１５…の数が多いところから、不等間隔のピッチ設定作業が非常に面倒であり、作業性が低下して、大量生産に不適である。
　【００１８】
　本発明は上記事情に着目してなされたものであり、その目的とするところは、支持フレームにオルダムリングおよび旋回スクロール翼を組み込んだ状態で、固定スクロール翼を取付固定する際の、固定スクロール翼の位置決め確認を容易にでき、作業性の向上化を得るとともに、コストに悪影響を与えることのないスクロール式圧縮機を提供しようとするものである。
　【００１９】
　【課題を解決するための手段】
　上記目的を満足するため第１の発明は、支持フレームに、旋回スクロール翼を組み込むとともに固定スクロール翼を取付固定し、固定スクロール翼の渦巻状の翼部と、旋回スクロール翼の渦巻状の翼部とを噛合させ、これら翼部と各スクロール翼の鏡板部とで圧縮空間を形成し、旋回スクロール翼を旋回運動させて、圧縮空間に被圧縮ガスを吸込み、圧縮して吐出するスクロール式圧縮機において、上記支持フレームに対する固定スクロール翼の位置決めを、
支持フレームの、
突設した
を、固定スクロール翼に貫通して設けた位置決め用孔に嵌挿して
　【００２０】
　第２の発明は、上記支持フレームに対する固定スクロール翼の位置決めを、互いにその直径を異ならせた一対の位置決めピンによりなすことを特徴とするスクロール式圧縮機である。
　【００２１】
　【作用】
　第１の発明で、一対の位置決めピンを、支持フレームと固定スクロール翼の軸心線に対して非対称の位置に備えたので、正規の位置以外は、支持フレームに対する固定スクロール翼の位置が合わず、したがって固定スクロール翼の位置決めを誤ることがない。
　【００２２】
　第２の発明で、一対の位置決めピンを、互いに直径を異ならせたので、たとえ１８０°対称の位置に位置決めピンを設けても、支持フレームに対する固定スクロール翼の位置決めを誤ることがない。
　【００２３】
　【実施例】
　以下、本発明の一実施例を、図面にもとづいて説明する。
　図２に一部省略したスクロール式圧縮機を示し、たとえば冷凍装置に用いられるものとして説明する。
　【００２４】
　図中２０は密閉ケースであり、この密閉ケース２０内上部に支持フレーム２１が設けられ、回転軸２２を回転自在に枢支している。上記回転軸２２には後述する圧縮機構部２３が連結され、下部にはステータ２４とロータ２５とからなる電動機部２６が設けられる。
　【００２５】
　上記圧縮機構部２３は、支持フレーム２１に取付け固定される固定スクロール翼２７と、回転軸２２上端の偏心部に枢支される旋回スクロール翼２８と、この旋回スクロール翼２８の自転を規制し旋回運動のみ行わせるオルダムリング２９とから構成される。
　【００２６】
　上記固定スクロール翼２７の上面は凹陥状に形成され、中央部には吐出ポート３１が設けられ、さらに、吐出ポート３１を囲繞するバルブカバー３２が載設される。
　【００２７】
　固定スクロール翼２７周面一部には、上記バルブカバー３２で囲繞される空間室と外周面とを貫通する吐出孔３３が設けられ、ここに密閉ケース２０を貫通する吐出管３４が接続される。吐出管３４は、冷凍装置の図示しない凝縮器に連通する。
　一方、上記密閉ケース２０側部には、冷凍装置の図示しない蒸発器と連通する吸込管３５が接続され、この開口端は密閉ケース２０内部に対向している。
　【００２８】
　上記固定スクロール翼２７および旋回スクロール翼２８は、互いに、鏡板部３６，３７と、この鏡板部３６，３７に一体に設けられる渦巻状の翼部３８，３９とから構成される。
　【００２９】
　これら翼部３８，３９相互は噛合されるとともに、上記固定スクロール翼鏡板部３６と上記旋回スクロール翼鏡板部３７相互とで囲繞される、圧縮空間Ｓが形成される。
　【００３０】
　しかして、このようにして構成されるスクロール式圧縮機において、電動機部２６に通電して圧縮機構部２３を駆動すると、吸込管３５から被圧縮ガスである低圧の冷媒ガスが密閉ケース２０内に導入され、充満する。
　この冷媒ガスは、支持フレーム２１に設けられる吸込通路を介して、圧縮空間Ｓの外周側に吸込まれる。
　【００３１】
　上記圧縮空間Ｓに吸込まれた冷媒ガスは、旋回スクロール翼２８の旋回運動にともなって中心部に移送され、かつ空間容量が減少することにより圧縮される。所定圧まで上昇したところで、吐出ポート３１からバルブカバー３２内へ吐出され、さらに吐出管３４を介して外部の凝縮器に導かれる。
　上記電動機部２６は、負荷に応じた最適な運転周波数に制御され、最適な条件での空気調和をなす。
　このような作用をなすスクロール式圧縮機は、圧縮機構部２３の組立を、図１に示すようにして行う。
　【００３２】
　上記支持フレーム２１には、上記オルダムリング２９および旋回スクロール翼２８を組み込む凹陥部４０が設けられるとともに、この周囲の上端面には、複数のねじ孔４１…が等間隔で開口する。
　さらに、凹陥部４０周囲上端面には、一対の位置決めピン４２ａ，４２ｂが突設される。
　【００３３】
　ここでは、上記位置決めピン４２ａ，４２ｂの直径および突出高さは、互いに同一に設定される。ただし、互いの位置は、支持フレーム２１と固定スクロール翼２７の軸心線に対して非対称の位置に設定しなければならない。
　【００３４】
　なお説明すれば、一方の位置決めピン４２ａと支持フレーム２１中心０とを結ぶ軸線Ｌａに対して、他方の位置決めピン４２ｂと支持フレーム２１中心０とを結ぶ軸線Ｌｂは所定方向に所定角度θだけ位置をずらせて突設される。
　【００３５】
　固定スクロール翼２７の鏡板部３７周端には、ねじ孔４１…と同一間隔を存して複数の取付用孔４３…が
鏡板部３７の上下面を貫通して
鏡板部３７の上下面を貫通して
　【００３６】
　特に、上記位置決めピン４２ａ，４２ｂと、位置決め用孔４４の位置設定では、単純に１８０°位置をずらせて設ける場合と比較して、ある程度手間がかかることは避けられないが、その数が一対であることに限定されるので、加工作業性の低下は極く僅かですむ。
　【００３７】
　実際の組立にあたっては、支持フレーム２１の凹陥部４０内にオルダムリング２９と旋回スクロール翼２８を組み込んだ後、固定スクロール翼２７を支持フレーム２１に載置する。
　【００３８】
　そして、支持フレーム２１のねじ孔４１…に固定スクロール翼２７の取付用孔４３…を対向させ、これらに図２にのみ示す固定ボルト４５を螺挿して、固定スクロール翼２７の取付固定をなす。
　上記固定スクロール翼２７の位置を支持フレーム２１に対して正しく設定するために、上記位置決めピン４２ａ，４２ｂと位置決め用孔４４が設けられる。
　【００３９】
　すなわち、支持フレーム２１上に固定スクロール翼２７を載置する際に、支持フレーム２１の位置決めピン４２ａ，４２ｂに固定スクロール翼２７の位置決め用孔４４を対向し、嵌挿する。
　【００４０】
　このとき、一対の位置決めピン４２ａ，４２ｂおよび位置決め用孔４４を、支持フレーム２１と固定スクロール翼２７の軸心線に対して非対称の位置に備えたので、互いの位置が合致し、かつ嵌挿可能であるのは、全周３６０°の範囲で１ケ所でしかない。
　換言すれば、作業者が、支持フレーム２１に対する固定スクロール翼２７の取付位置を錯誤することがなく、常に確実に正しい位置決めができる。
　【００４１】
　また、図３に示すように、各位置決めピン１４２ａ，１４２ｂを１８０°間隔を存して配置し、かつ互いの直径を大小異ならせてもよい。当然、図示しないが、対応する位置決め用孔の直径も異なることになる。
　【００４２】
　このような構成であっても、位置をずらせた組み込みが不可能となり、上記実施例と同様の効果を得られる。しかも、位置決めピン１４２ａ，１４２ｂおよび位置決め用孔の位置設定が容易である。
　【００４３】
　また、同様に、各位置決めピンを１８０°間隔を存して配置し、かつ互いに軸心からの距離を異ならせておけば、位置をずらせた組み込みが不可能となり、同様の効果を得られる。
　【００４４】
　さらに、先に図１に示したような、軸心線に対して非対称の位置設定の位置決めピンで、さらにその上に、図３に示したように互いの直径を大小異ならせたものであってもてもよい。当然、対向する位置決め用孔の位置および直径も異なることとなる。
　【００４５】
　このようにすれば、各位置決めピンと位置決め用孔との判別が一目瞭然になり、支持フレーム２１上に固定スクロール翼２７を載置する前に、対応する位置の判断が容易につく。
　【００４６】
　なお、
上記の
位置決めピン１４２ａ，１４２ｂ
位置決め用孔を
　【００４７】
　いずれの実施例においても、支持フレーム２１に対して固定スクロール翼２７を取付固定した後は、上記位置決めピン４２ａ，４２ｂ，１４２ａ，１４２ｂは不要なものとなるので、抜き取っても全く支障がない。
　【００４８】
　上記スクロール式圧縮機は、必ずしも冷凍サイクルを構成する機器に備えられるものに限定されず、他の種類の被圧縮ガスもしくは空気を圧縮する場合にも用いることができる。
　【００４９】
　【発明の効果】
　以上説明したように本発明によれば、一対の位置決めピンを、
支持フレームの、
突設して、固定スクロール翼に貫通して設けた位置決め用孔に嵌挿し
【図面の簡単な説明】
　【図１】
　本発明の一実施例を示す、スクロール式圧縮機の圧縮機構部要部の分解した斜視図。
　【図２】
　同実施例の、スクロール式圧縮機を一部省略した縦断面図。
　【図３】
　他の実施例の、支持フレームの斜視図。
　【図４】
　従来例の、スクロール式圧縮機の圧縮機構部要部の分解した斜視図。
　【符号の説明】
　２１…支持フレーム、２８…旋回スクロール翼、２７…固定スクロール翼、４２ａ，４２ｂ，１４２ａ，１４２ｂ…位置決めピン、４４…位置決め用孔。